(57)【要約】      （修正有）【課題】手摺ベルト内部から外部に心地よい風を送り、手摺ベルトを掴みたくなるような気持ちにさせる機構を備えた乗客コンベアを提供する。【解決手段】乗客コンベアは、手摺デッキ２内部に電動ファンを設け、当該電動ファンにより手摺ベルト１の内部から通風穴１２を通じて手摺ベルト１の外部へ送風する構造を備える。【選択図】図１
2017088375.tif 000002
【特許請求の範囲】
【請求項１】
手摺ベルトを支持し、底板と両側壁とからなる手摺デッキ内部に送風手段を設け、当該送風手段により手摺ベルト内部から手摺ベルトの外部へ送風する構造を備えた
ことを特徴とする乗客コンベア。
【請求項２】
前記手摺デッキ内部が通風道となる
ことを特徴とする請求項２に記載の乗客コンベア。
【請求項３】
前記手摺ベルトに適当間隔に手摺ベルト通風穴を設けて、前記送風手段により手摺ベルト内部から手摺ベルトの外部へ送風する
ことを特徴とする請求項１又は２に記載の乗客コンベア。
【請求項４】
前記手摺ベルト通風穴に、手摺ベルト裏面側からネットを配した
ことを特徴とする請求項３に記載の乗客コンベア。
【請求項５】
前記手摺デッキに適当間隔に手摺デッキ通風穴を設け、前記送風手段により手摺ベルト内部から手摺ベルトの外部へ送風する
ことを特徴とする請求項１〜４のいずれか１項に記載の乗客コンベア。
【請求項６】
前記送風手段として前記手摺デッキの内部に電動ファンを設置し、前記手摺ベルトの通風穴を通じて手摺ベルトの外部に送風する
ことを特徴とする請求項３〜５のいずれか１項に記載の乗客コンベア。
【請求項７】
前記送風手段として前記手摺デッキの内部に通気孔を有するチューブを配設し、空気を圧送するコンプレッサを設けて前記チューブに接続し、前記手摺ベルトの通風穴を通じて手摺ベルトの外部に送風する
ことを特徴とする請求項３〜５のいずれかに記載の乗客コンベア。
【請求項８】
前記送風手段に風量の切替手段が付加されている
ことを特徴とする請求項１〜７のいずれかに記載の乗客コンベア。
【請求項９】
前記送風手段に風温の切替手段が付加されている
ことを特徴とする請求項１〜８に記載の乗客コンベア。
【請求項１０】
前記送風手段による送風に着色空気を流入させる
ことを特徴とする請求項１〜９のいずれかに記載の乗客コンベア。
【発明の詳細な説明】
【技術分野】
【０００１】
本発明の実施形態は、乗客コンベアに関する。
【背景技術】
【０００２】
エスカレータや動く歩道等の乗客コンベアにおける乗客の安全性の向上を図るために、乗客コンベアの欄干に乗客が掴むことができるゴム製の手摺ベルトが配されており、当該手摺ベルトについて種々の改良が提案されている。
【０００３】
エスカレータや動く歩道の手摺ベルトの案内機構は、図６及び図７に示すように、ゴム製の手摺ベルト１、手摺デッキ２、主デッキ３、外装受けデッキ４、内側正面スカート５、外側正面スカート６、インレットゴム７、内レッジ８、スカートガードパネル９、手摺レール１０ａ，１０ｂ、パネル１４によって構成される。
【０００４】
手摺ベルト１は、一般的にクロロスルホン化ポリエチレンゴム（商品名：ハイパロン（登録商標））により形成されており、汚れが手摺ベルト１に付着するとその汚れは除去しにくく、表面の光沢も長期に使用することで低下してしまう欠点がある。また、エスカレータや動く歩道が１日１０時間程度の稼働をしている間、手摺ベルト１は不特定多数の乗客の手で汚されるのが現状である。
【０００５】
一方、エスカレータや動く歩道に乗降する乗客に対して、乗客の転倒防止のため、注意放送にて「手摺ベルトにおつかまり下さい」と絶え間なく呼び掛けてはいるが、長期に使用された手摺ベルト１は清潔感が低下しているため、このことが原因で手摺ベルト１を掴むことに不快感を覚えて手摺ベルト１を掴まない乗客も多数散見される。
【０００６】
それを防止するため、清掃員が手摺ベルト１の表面を洗浄液で清掃したり、手摺ベルト１を汚れにくい材質、例えばウレタンゴムに変更したりなどして乗客に手摺ベルト１を掴ませるように努力している。
【０００７】
しかしながら、前記のように手摺ベルト１を清潔にすることに努めても、１日１０時間程度、この手摺ベルト１に不特定多数の乗客が触れることでどうしても清潔感に欠けるイメージがあり、必ずしも全ての乗客が手摺ベルト１を掴んで乗降するまでには至っておらず、不慮の急停止等で手摺ベルト１を掴んでいない乗客が転倒してしまうおそれが未だなお残っているのが実情である。
【０００８】
このように、エスカレータや動く歩道等の乗客コンベアにおいて、手摺ベルトの汚損や触り心地の悪さ故に乗客が手摺ベルトを掴まず、不慮の緊急停止時に手摺ベルトを掴んでいないことが原因の１つとして、搭乗中に転倒する等の危険な状態が増加している。
【０００９】
乗客の安全性向上には手摺ベルトを掴むことが不可欠であるが、手摺ベルトの汚損や触り心地の悪さについては、改善の余地があるものの現在の技術では実現性が低い。
【先行技術文献】
【特許文献】
【００１０】
【特許文献１】実用新案登録第３０６６７７０号公報
【特許文献２】特開２００３−０４０５７１号公報
【発明の開示】
【発明が解決しようとする課題】
【００１１】
本発明が解決しようとする課題は、手摺ベルト内部から外部に心地よい風を送り、手摺ベルトを掴みたくなるような気持ちにさせる機構を備えた乗客コンベアを提供することを目的とする。
【課題を解決するための手段】
【００１２】
本発明の実施形態に係る乗客コンベアは、手摺ベルトを支持する手摺デッキ内部に送風手段を設け、当該送風手段により手摺ベルト内部から手摺ベルトの外部へ送風する構造を備えたことを特徴とする。
【図面の簡単な説明】
【００１３】
【図１】本発明の第１の実施形態に係るエスカレータの乗降口個所の概略図であって、図中の（ａ）は踏段側から見た欄干の右片方の側面図であり、図中の（ｂ）はその平面図であり、図中の（ｃ）はその正面図である。
【図２】図１の正面図において、その上部の概略部分端面図である。
【図３】本発明の第２の実施形態に係るエスカレータの欄干上部の概略部分端面図である。
【図４】本発明の第３の実施形態に係るエスカレータの欄干上部の概略部分端面図である。
【図５】本発明の第４の実施形態に係るエスカレータの欄干上部の概略部分端面図である。
【図６】従来のエスカレータの乗降口個所の概略図であって、図中の（ａ）は踏段側から見た欄干の右片方の側面図であり、図中の（ｂ）はその平面図であり、図中の（ｃ）はその正面図である。
【図７】図６の正面図において、その上部の概略部分端面図である。
【発明を実施するための形態】
【００１４】
本発明の実施形態に係る乗客コンベアは、手摺ベルトを支持し、底板と両側壁からなる手摺デッキ内部に送風手段を設け、当該送風手段により手摺ベルト内部から手摺ベルトの外部へ送風する構造を備えるものである。また、手摺デッキ内部に送風手段を設けたことにより、手摺デッキ内部が通風道を形成する。手摺ベルトの外部へ送風する構成としては、手摺ベルトに通風穴を設ける。したがって、通風道に流れる空気が前記手摺ベルト通風穴を通じて手摺ベルトの外部に送ることができる。そして、前記手摺ベルトに適当間隔、例えば３０ｃｍ毎の等間隔に手摺ベルト通風穴を設けて、前記送風手段により手摺ベルト内部から手摺ベルトの外部へ送風するものである。当該手摺ベルト通風穴に、手摺ベルト裏面側からネットを配して、身体の指や異物などが侵入しない構成としてもよい。
【００１５】
以上のように構成すれば、当該手摺ベルト通風穴から乗客の手に心地良い風が送風され、乗客が手摺ベルトを掴む補助をすることができる。
【００１６】
前記通風道に流れる空気の送風手段は、例えば、コンプレッサにより通風道内に空気を送り込んでもよく、下記のように手摺デッキ内に小型の電動ファンを設けて、電動ファンにより通風道内に送風を発生させてもよく、また、手摺デッキ内に通気孔付きの送風チューブを配して当該チューブの通気孔から通風道に空気が吹き出すようにしてもよい。
【００１７】
前記送風手段として手摺デッキの内部に、上記したように手摺デッキに収納可能な大きさの小型の電動ファンを設置し、当該電動ファンを駆動させることにより送風を発生させて前記手摺ベルト通風穴を通じて手摺ベルトの外部に送風する構成としてもよい。
【００１８】
また、前記送風手段として前記手摺デッキの内部に、上記したように通気孔を有する送風チューブを配設し、空気を圧送するコンプレッサを別途設けて、コンプレッサに前記チューブに接続し、コンプレッサから圧送した空気が前記チューブの通気孔から吹き出し、吹き出した空気が前記手摺ベルト通風穴を通じて手摺ベルトの外部に送風する構成としてもよい。
【００１９】
前記送風手段に風量の切替手段が付加されている構成としてもよい。例えば、切替スイッチにより強・中・弱の風量の切り替えができるようにすれば、乗客コンベアの設置状況に応じて乗客へ適切な風量の送風を送ることができるので、乗客への快適さが向上し、手摺ベルトを掴むことに対する不快感を和らげることができる。
【００２０】
前記送風手段に風温の切替手段が付加されている構成としてもよく、そのよう構成すれば、温度が低い状況において手摺ベルトから暖かい空気を送風したり、逆に温度が高い状況において手摺ベルトから冷風を送風したりすることにより、乗客に対して手摺ベルトを掴むことの快適さが向上し、手摺ベルトを掴むように誘導することができる。
【００２１】
前記送風手段に、着色空気を流入させる構成としてもよく、その場合には乗客は風が出ていることを目視でも即座に確認することができる。
【００２２】
以下に、本発明の好適な実施形態を添付の図面に基づいて詳細に説明する。図１及び図２は第１の実施形態を示し、図３は第２の実施形態を示し、図４は第３の実施形態を示し、図５は第４の実施形態を示す。なお、下記の各実施形態において、従来例を示す図６及び図７における部材に使用した符号と同一の部材は図６及び図７と同一の符号を付す。また、以下の説明はエスカレータについてのものであるが、動く歩道等の乗客コンベアについても同様に実施できる。
【実施例１】
【００２３】
図１及び図２に示すように、エスカレータＡの両側欄干の周縁部に配置されるゴム製の手摺ベルトの案内機構は、駆動モーター（不図示）により循環駆動するゴム製の手摺ベルト１、手摺ベルト１を支持し、手摺ベルト１の内側に当接するローラ（不図示）を内蔵する底板と両側壁からなる箱形の手摺デッキ２、手摺デッキ２を設置固定する主デッキ３、エスカレータＡの外側において主デッキ３を支持固定する外装受けデッキ４、エスカレータＡの内側の正面側において手摺ベルト１の出入り個所を覆う内側正面スカート５、エスカレータＡの外側の正面側において手摺ベルト１の出入り個所を覆う外側正面スカート６、手摺ベルト１の出入り部の枠を形成するインレットゴム７、主デッキ３の下端部をカバーする内レッジ８、踏段と欄干との境界部分をカバーするスカートガードパネル９、手摺デッキ２の上端両側において手摺ベルト２を支持する手摺レール１０ａ，１０ｂによって構成される。１４は欄干の両側面をカバーするガラス又は金属製のパネルである。
【００２４】
そして、上記手摺デッキ２には、図２に示すように、小型ファン１１が設置収納されており、当該小型ファン１１は等間隔、例えば３０ｃｍ間隔に配置されている。このように構成したことにより、前記の手摺デッキ２の内部が通風道となる。なお、当該手摺デッキ２に小型ファン１１を設けず、コンプレッサ等により手摺デッキ内に直接空気を圧送してもよい。
【００２５】
また、手摺ベルト１には通風穴１２が形成されており、当該通風穴１２は、手摺ベルト１の幅方向の中心に形成され、長さ方向には、手摺ベルト１の全長にわたり、等間隔、例えば５ｃｍの間隔で、子供の指が入らない大きさ、例えば直径１０ｍｍの丸穴より形成されている。なお、手摺デッキ２には、適宜の個所に空気取り入れ口（不図示）が設けられている。
【００２６】
このように構成したことにより、小型ファン１１から風が発生し、この発生した風が手摺ベルト１の通風穴１２から外部へ心地良い風となって送風される。また、手摺ベルト１の通風穴１２から吹き出す風の風量が切り替えられるようになっている。すなわち、小型ファン１１の電流を切替スイッチにて例えば「強」・「中」・「弱」の３段階に切り替えることができるようになっており、小型ファン１１の回転数を変化させることにより建屋の状況に合わせて風量が切り替えられるようになっている。なお、風量は断続的な風等のバリエーションのある風調整機能を持たせてもよい。
【００２７】
このように手摺ベルト１から心地良い風が吹き出すことにより、乗客が送風された風を手のひらにあてがおうとすることで、手摺ベルト１を掴むまでは至らなくても手摺ベルト１に近い位置まで手のひらをかざそうとする目的が達成できる。
【００２８】
手摺ベルト１に近い位置まで手のひらをかざしていれば、エスカレータが不慮に急停止しても手摺ベルトを即座に掴むことができて転倒するまでに至らないので、安全性を向上させることができる。
【００２９】
また、前記の空気取り入れ口から夏場は冷風が入るようにし、冬場は温風が入るようにすれば、乗客に対して手摺ベルト１の通風穴１２からさらに心地良い気候に合わせた送風を提供することができる。
【００３０】
さらに、手摺ベルト１の通風穴１２から吹き出す空気は目に見えないので、前記の空気取り入れ口から入り込む空気に色付きのスモークを付けることで、手摺ベルト１から着色空気が吹き出すため、乗客の視認性をあげ、風に対し興味がわきさらに掴みたくなる効果を合わせもつことができる。
【実施例２】
【００３１】
図３は本発明の第２の実施形態を示す。第２の実施形態は、上記第１の実施形態にネット１２ａを付加した変更例であり、それ以外は第１の実施形態と同様であるので、ネット１２ａ以外の構成は第１の実施形態の説明を援用する。
【００３２】
すなわち、第２の実施形態においては、図３に示すように、手摺ベルト１の手摺ベルト通風穴１２に手摺ベルト１の裏面側からネット１２ａを接着して、空気だけが送通するように塞いだものである。
【００３３】
このように構成したことにより、手摺ベルト１の通風穴１２に誤って指を深く差し込むおそれがなくなるため安全性がさらに向上し、また、手摺ベルト１の通風穴１２を通じて手摺デッキ２内に異物が侵入するおそれがないため、エスカレータが安定して運行することができる。
【００３４】
なお、第２の実施形態においても、第１の実施形態で説明した風量、風温及び着色空気の構成を付加することができる。
【００３５】
第２の実施形態を上記のように構成したことにより、エスカレータに搭乗中の乗客は余りの心地よさから、手摺ベルト１を掴んでいる乗客は手摺ベルト１から手を離したくない衝動にかられ、また手摺ベルト１を掴んでいない乗客も手摺ベルト１を掴む位置まで手のひらをかざすことになり、不慮の急停止等が発生しても咄嗟に手摺ベルト１を掴む確率が向上し、手摺ベルト１を掴んでいないことによる転倒等の事故が防止でき、安全性が向上する。
【実施例３】
【００３６】
図４は本発明の第３の実施形態を示す。第３の実施形態は、手摺デッキ２の両側の壁面に通風穴１３ａ，１３ｂを設けた変更例であり、それ以外は第１の実施形態と同様であるので、当該通風穴１３ａ，１３ｂ以外の構成は第１の実施形態の説明を援用する。
【００３７】
手摺レール１０ａ，１０ｂの上を走行する手摺ベルトにおいて、第１の実施形態のように手摺ベルト１に通風穴１２を設けただけでは手摺ベルト１の上方に向けての風しか吹き出さないが、本実施例においては、図４に示すように、手摺デッキ２の両側壁面に通風穴１３ａ，１３ｂを設ける構成とした。これにより、手摺ベルト１の下側からも風が送風され、さらに心地良い感触を乗客の手に与えることができる。
【００３８】
なお、第３の実施形態においても、第１の実施形態で説明した風量、風温及び着色空気の構成を付加することができる。
【００３９】
第３の実施形態を上記のように構成したことにより、エスカレータに搭乗中の乗客は余りの心地よさから、手摺ベルト１を掴んでいる乗客は手摺ベルト１から手を離したくない衝動にかられ、また手摺ベルト１を掴んでいない乗客も手摺ベルト１を掴む位置まで手のひらをかざすことになり、不慮の急停止等が発生しても咄嗟に手摺ベルト１を掴む確率が向上し、手摺ベルト１を掴んでいないことによる転倒等の事故が防止でき、安全性が向上する。
【実施例４】
【００４０】
図５は本発明の第４の実施形態を示す。第４の実施形態は、第１の実施形態における送風源、すなわち小型ファン１１に代えて送風チューブ１５に変更したものであり、それ以外は第１の実施形態と同様であるので、チューブ１５以外の構成は第１の実施形態の説明を援用する。
【００４１】
前記第１〜第３の実施形態において説明した送風源は手摺デッキ２の内部に設置した小型ファン１１であるが、第４の実施形態においては、例えば上トラス内にコンプレッサＢを配置し、図５に示すように、手摺デッキ２の内部の上から下まで送風チューブ１５を配置することにより、手摺デッキ２の内部を通風道としたものである。
【００４２】
すなわち、手摺デッキ２の内部に、通気孔１５ａを有する送風チューブ１５を配設し、当該チューブ１５にコンプレッサＢを接続して空気をチューブ１５内に圧送する構成である。当該通気孔１５ａは、送風チューブ１５に例えば長さ方向に３０ｃｍの間隔で形成する。図中の１６は手摺ベルト１を支持し、手摺ベルト１の内側に当接するローラである。
【００４３】
このように構成したことにより、コンプレッサＢにより圧送された空気は、送風チューブ１５内に流入すると共にその一部が通気孔１５ａを通過して、手摺ベルト１の通風穴１２から手摺ベルト１の外部へ吹き出すことになる。
【００４４】
なお、第４の実施形態においても、第１の実施形態で説明した風量、風温及び着色空気の構成を付加することができる。
【００４５】
第４の実施形態を上記のように構成したことにより、エスカレータに搭乗中の乗客は余りの心地よさから、手摺ベルト１を掴んでいる乗客は手摺ベルト１から手を離したくない衝動にかられ、また手摺ベルト１を掴んでいない乗客も手摺ベルト１を掴む位置まで手のひらをかざすことになり、不慮の急停止等が発生しても咄嗟に手摺ベルト１を掴む確率が向上し、手摺ベルト１を掴んでいないことによる転倒等の事故が防止でき、安全性が向上する。
【００４６】
なお、本実施例はエスカレータを乗客コンベアとして説明したが、動く歩道に対しても適用できるものである。
【００４７】
また、本発明のいくつかの実施形態を説明したが、これら実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４８】
Ａ…………エスカレータ
Ｂ…………コンプレッサ
１…………手摺ベルト
２…………手摺デッキ
３…………主デッキ
４…………外装受けデッキ
５…………内側正面スカート
６…………外側正面スカート
７…………インレットゴム
８…………内レッジ
９…………スカートガードパネル
１０ａ，１０ｂ………手摺レール
１１………小型ファン
１２………手摺ベルトの通風穴
１３ａ，１３ｂ………手摺デッキの通風穴
１４………パネル
１５………送風チューブ
１５ａ……送風チューブの通気孔
【図１】
2017088375.tif 000003
【図２】
2017088375.tif 000004
【図３】
2017088375.tif 000005
【図４】
2017088375.tif 000006
【図５】
2017088375.tif 000007
【図６】
2017088375.tif 000008
【図７】
2017088375.tif 000009
【手続補正書】
【提出日】平成28年10月25日(2016.10.25)
【手続補正１】
【補正対象書類名】特許請求の範囲
【補正対象項目名】全文
【補正方法】変更
【補正の内容】
【特許請求の範囲】
【請求項１】
手摺ベルトを支持し、底板と両側壁とからなる手摺デッキ内部に複数の電動ファンを適当間隔に設置し、
前記手摺ベルトの全長にわたって手摺ベルト通風穴を適当間隔に設けて、当該送風手段により手摺ベルト内部から手摺ベルトの外部へ送風する構造を備えた
ことを特徴とする乗客コンベア。
【請求項２】
前記手摺ベルト通風穴に、手摺ベルト裏面側からネットを配した
ことを特徴とする請求項１に記載の乗客コンベア。
【請求項３】
前記手摺デッキに適当間隔に手摺デッキ通風穴を設け、前記電動ファンにより手摺ベルト内部から手摺ベルトの外部へ送風する
ことを特徴とする請求項１又は２に記載の乗客コンベア。
【請求項４】
前記電動ファンに風量の切替手段が付加されている
ことを特徴とする請求項１〜３のいずれかに記載の乗客コンベア。
【請求項５】
前記電動ファンに風温の切替手段が付加されている
ことを特徴とする請求項１〜４のいずれかに記載の乗客コンベア。
【請求項６】
前記電動ファンによる送風に着色空気を流入させる
ことを特徴とする請求項１〜５のいずれかに記載の乗客コンベア。